(57)【特許請求の範囲】
【請求項１】
実装面にＬＥＤが実装されたＬＥＤ基板と、
該ＬＥＤ基板における前記実装面の裏面が当接して設置され、前記ＬＥＤが発する熱を放熱させる放熱部と、
前記ＬＥＤの照射方向側が開口した筒形状を呈し、その内面に前記ＬＥＤから発する光の配光を制御する反射面が形成され、内周縁部が前記放熱部の前記ＬＥＤ基板が設置される面側に取り付けられた反射板と、
該反射板の前記ＬＥＤの照射方向側の開口部の周囲を囲む態様で配設され、接続部材によって前記放熱部と結合され、照射側空間の天井の開口部に取り付け可能とするフレーム部と、
を備え、
前記フレーム部を前記天井の開口部に取り付けた場合における底面視において、前記反射板と前記フレーム部とがオーバーラップする
ことを特徴とする照明器具。
【請求項２】
実装面にＬＥＤが実装されたＬＥＤ基板と、
該ＬＥＤ基板における前記実装面の裏面が当接して設置され、前記ＬＥＤが発する熱を放熱させる放熱部と、
上下が開口する筒形状をなし、上側の開口する部分に前記ＬＥＤが発する光が入射するように前記放熱部の前記ＬＥＤ基板が設置される面側に内周縁部が取り付けられ、前記筒形状の内面に前記ＬＥＤから発する光の配光を制御する反射面が形成された反射板と、
前記放熱部の前記ＬＥＤ基板が設置される面側に配設され、該放熱部側及び前記ＬＥＤの照射方向側が開口した筒形状を呈するとともに、前記反射板の外側面側を囲うように形成され、照射側空間の天井の開口部に取り付け可能とするフレーム部と、
を備え、
該フレーム部の側面には、一つ以上の通気孔が穿設され、
前記フレーム部を前記天井の開口部に取り付けた場合における底面視において、前記通気孔全体が前記反射板とオーバーラップする
ことを特徴とする照明器具。
【請求項３】
前記反射板は、前記ＬＥＤの照射方向側の開口端から外側に向けてフランジ状に延設された反射板フランジ部を有し、
前記フレーム部は、内側に向けて延設されたフレーム部内周縁部を有し、
前記底面視において、前記反射板フランジ部と前記フレーム部内周縁部とがオーバーラップする
ことを特徴とする請求項１記載の照明器具。
【請求項４】
前記反射板と前記フレーム部との間に間隙が設けられることによって、空気が流通する通気路が形成され、
前記フレーム部を前記天井の開口部に取り付けた場合、前記通気路によって、前記照射側空間と天井裏空間とが連通する
ことを特徴とする請求項１又は請求項３記載の照明器具。
【請求項５】
前記反射板の外側面と前記フレーム部の内面との間に設けられた間隙、及び、前記通気孔によって、空気が流通する通気路が形成され、
前記フレーム部を前記天井の開口部に取り付けた場合、前記通気路によって、前記照射側空間と天井裏空間とが連通した
ことを特徴とする請求項２記載の照明器具。
【請求項６】
前記反射板は、着脱可能に接合された
ことを特徴とする請求項１〜請求項５のいずれか一項に記載の照明器具。
【請求項７】
前記反射板は、金属によって形成された
ことを特徴とする請求項１〜請求項６のいずれか一項に記載の照明器具。
【請求項８】
前記ＬＥＤ基板は、放熱シート、放熱グリス又は放熱用両面テープを介して、前記放熱部に当接して設置された
ことを特徴とする請求項１〜請求項７のいずれか一項に記載の照明器具。
【発明の詳細な説明】
【技術分野】
【０００１】
本発明は、照明器具に関し、特に、反射板の構造に関する。
【背景技術】
【０００２】
従来から、ＬＥＤを光源とするダウンライトである照明器具として、放熱性を高めるためにＬＥＤが実装されたＬＥＤモジュールをアルミダイキャスト製等のヒートシンクに直接取り付けた構造のものが広く普及している。
【０００３】
そのような放熱性の向上を目的として、照射側空間と天井裏空間とを連通する通気口を設けたものが提案されている（例えば、特許文献１参照）。
【０００４】
また、反射板とその周りを覆う被覆体との間に通風路を設け、その被覆体に通風入口及び通風出口を穿設して通風路と被覆体の外部空間とを連通させ、その通風路によって反射板を放熱させる照明器具が提案されている（例えば、特許文献２参照）。
【先行技術文献】
【特許文献】
【０００５】
【特許文献１】特開２００９−１６３９５５号公報（第１０頁、図８−１０）
【特許文献２】特開平０４−２４９８０４号公報（第２−３頁、図１）
【発明の概要】
【発明が解決しようとする課題】
【０００６】
しかしながら、特許文献１に記載された照明器具において、当該照明器具を天井に埋設した場合、照明器具を下方から見た場合、天井裏空間が、そのまま通気口を介して見えてしまうため、天井裏空間からの塵埃等の落下、及び、光漏れ等が生じてしまうという問題点がある。
【０００７】
また、特許文献２に記載された照明器具は、当該照明器具内で通風路が形成されているが、照明器具下部に通風口が形成されていないため、照射側空間（例えば、居住空間）と天井裏空間とが直接連通しておらず、通風路を流れる空気の放熱性は、双方の空間を分ける天井の部材の熱特性に左右されるため、光源の放熱効果が十分に確保できないという問題点がある。
【０００８】
本発明は、上記のような課題を解決するためになされたものであり、第１の目的は、天井裏空間から塵埃等の落下及び光漏れ等を抑制した照明器具を得ることである。
そして、第２の目的は、照射側空間と天井裏空間とを連通させて、光源の放熱効果を十分に確保した照明器具を得ることである。
【０００９】
本発明は、上記課題を解決し、放熱性を向上することを目的とする。
【課題を解決するための手段】
【００１０】
本発明に係る照明器具は、実装面にＬＥＤが実装されたＬＥＤ基板と、該ＬＥＤ基板における実装面の裏面が当接して設置され、ＬＥＤが発する熱を放熱させる放熱部と、ＬＥＤの照射方向側が開口した筒形状を呈し、その内面にＬＥＤから発する光の配光を制御する反射面が形成され、内周縁部が放熱部のＬＥＤ基板が設置される面側に取り付けられた反射板と、該反射板のＬＥＤの照射方向側の開口部の周囲を囲む態様で配設され、接続部材によって放熱部と結合され、照射側空間の天井の開口部に取り付け可能とするフレーム部と、を備え、フレーム部を天井の開口部に取り付けた場合における底面視において、反射板とフレーム部とがオーバーラップするものである。
【発明の効果】
【００１１】
本発明によれば、照明器具の底面視において、反射板と、フレーム部とがオーバーラップしていることによって、照明器具を下方から見た場合、天井裏空間が見えることがないため、天井裏空間からの塵埃等の落下、及び、天井裏空間から照明側空間への光漏れ等の発生を抑制することができる。
【図面の簡単な説明】
【００１２】
【図１】本発明の実施の形態１に係る照明器具１の上方斜視図である。
【図２】本発明の実施の形態１に係る照明器具１の下方斜視図である。
【図３】本発明の実施の形態１に係る照明器具１の平面図である。
【図４】本発明の実施の形態１に係る照明器具１の図３においてＸ方向から見た側面図である。
【図５】本発明の実施の形態１に係る照明器具１の図３においてＹ方向から見た側面図である。
【図６】本発明の実施の形態１に係る照明器具１の底面図である。
【図７】本発明の実施の形態１に係る照明器具１の図３におけるＡ−Ａ断面図である。
【図８】本発明の実施の形態１に係る照明器具１の図３におけるＢ−Ｂ断面図である。
【図９】本発明の実施の形態２に係る照明器具１ａの上方斜視図である。
【図１０】本発明の実施の形態２に係る照明器具１ａの下方斜視図である。
【図１１】本発明の実施の形態２に係る照明器具１ａの平面図である。
【図１２】本発明の実施の形態２に係る照明器具１ａの図１１においてＸ方向から見た側面図である。
【図１３】本発明の実施の形態２に係る照明器具１ａの図１１においてＹ方向から見た側面図である。
【図１４】本発明の実施の形態２に係る照明器具１ａの底面図である。
【図１５】本発明の実施の形態２に係る照明器具１ａの図１１におけるＡ−Ａ断面図である。
【図１６】本発明の実施の形態２に係る照明器具１ａの図１１におけるＢ−Ｂ断面図である。
【発明を実施するための形態】
【００１３】
実施の形態１．
（照明器具１の全体構造）
図１は、本発明の実施の形態１に係る照明器具１の上方斜視図であり、図２は、同照明器具１の下方斜視図であり、図３は、同照明器具１の平面図であり、図４は、同照明器具１の図３においてＸ方向から見た側面図であり、図５は、同照明器具１の図３においてＹ方向から見た側面図であり、図６は、同照明器具１の底面図であり、図７は、同照明器具１の図３におけるＡ−Ａ断面図であり、そして、図８は、同照明器具１の図３におけるＢ−Ｂ断面図である。
以下、図１〜図８を参照しながら、本実施の形態に係る照明器具１の構造について説明する。
なお、以下、照明器具１が照射側空間（例えば、居住空間）の天井に設置された状態を基準に上下方向を定めて説明するものとする。
【００１４】
図１、図２、図６及び図７で示されるように、本実施の形態に係る照明器具１は、いわゆるダウンライトと呼ばれるものであり、後述するＬＥＤ６において発生する熱を放熱する放熱部２、ＬＥＤ６が発する光の配光を制御する反射板３と、照明器具１を照射側空間の天井に設置するためのフレーム部４と、放熱部２とフレーム部４とを結合させる接続金具５と、ＬＥＤ６が実装されたＬＥＤ基板７と、を備えている。
【００１５】
放熱部２は、熱伝導性の高いアルミニウム等のダイキャスト又は押し出し成型等によって構成されたヒートシンクであり、前述のように、ＬＥＤ基板７に実装されたＬＥＤ６において発生する熱を放熱するものである。また、放熱部２の下面は、後述するように、ＬＥＤ基板７等を当接して設置可能なように平面形状となっている。また、放熱部２の表面に、放熱性を高めるための塗装又はアルマイト処理等の表面処理を施してもよい。また、ＬＥＤ６を点灯させるための点灯装置は、放熱部２に内蔵される構成でも、あるいは、放熱部２とは別体である構成としてもよい。この点灯装置が放熱部２とは別体として構成された場合、放熱部２に内蔵される構成と比較して、放熱部２を小型化し、これによって照明器具１の全高を低くすることが可能となる。
【００１６】
反射板３は、樹脂又は金属によって構成され、下方に向かって末広がりとなっている筒形状（椀形状）を呈し、上端及び下端が開口しており、ＬＥＤ６から発する光の配光を制御するものである。また、反射板３の内面には、ＬＥＤ６から発する光を反射する反射面３ａが形成されている。また、反射板３の上側の開口端から内側に向けて水平に放熱部取付部３ｂが延設されており、反射板３の下側の開口端から外側に向けてフランジ状に反射板フランジ部３ｃが延設されている。また、反射板３は、この放熱部取付部３ｂにおいて放熱部２の下面に接合されており、これによって、放熱部２及び反射板３は、熱的に結合されることになる。ここで、例えば、反射板３がアルミニウム等の金属等で形成されている場合、ＬＥＤ６が発生する熱が放熱部２を介して伝達しやすくなり、反射板３はその熱を放熱させる機能も果たすことになるので、放熱面積を増大させ、ＬＥＤ６の温度低減に寄与する。そして、前述のように、反射板３は、ＬＥＤ６から発する光の配光を制御する機能を持つので、その配光に応じた形状及び反射面３ａの表面処理を施すことによって、所望の配光形状とすることが可能となる。
【００１７】
なお、反射板３の放熱部２への接合の態様は、反射面３ａ側から、例えば、ネジ等によって結合させる態様として、反射板３を着脱可能とするものとしてもよい。これによって、照射側空間の雰囲気に応じて、反射板３として、仕様（形状及び反射面３ａの表面処理等）の異なるものに交換することが可能となる。
【００１８】
フレーム部４は、図７及び図８で示されるように、天井材１１の開口部（取付部）の寸法に応じたリング状の構造体であり、反射板３の下側の開口部の周りを囲む態様で配設され、照明器具１を照射側空間の天井（天井材１１の開口部）に固定させるものである。このフレーム部４は、リング状の円筒形状体を有し、この円筒形状体の上側の開口端から内側に向けてフレーム部内周縁部４ａが延設されており、当該円筒形状体の下側の開口端から外側に向けてフランジ形状体が延設されており、そのフランジ形状体の外周部は、内側から外側に向けて上方へ向かうスロープ形状を呈した天井面当接部４ｂとなっている。そして、図７及び図８で示されるように、この天井面当接部４ｂが照射側空間から天井材１１に当接して固定されることによって、照明器具１全体が照射側空間の天井に固定されることになる。ここで、天井面当接部４ｂを天井材１１に当接させて固定する方法としては、板バネ等によって固定する方法、又は、照明器具１の重量が重い場合はボルトによって固定する方法等がある。
【００１９】
接続金具５は、前述のように、放熱部２とフレーム部４とを結合させるものである。この接続金具５は、図７及び図８で示されるように、金属製の矩形の板状部材の両端部を、互いに逆向きになるように折り曲げて形成したものであり、一方の折り曲がった部分を放熱部取付部５ａとし、他方の折り曲がった部分をフレーム部取付部５ｂとして構成されている。そして、接続金具５は、図７及び図８で示されるように、放熱部取付部５ａにおいて放熱部２の下面における放熱部取付部３ｂが接合された部分よりも外側部分に接合されており、フレーム部取付部５ｂにおいてフレーム部４のフレーム部内周縁部４ａの上面に接合している。また、接続金具５は、図３で示されるように、円形状のフレーム部内周縁部４ａにおいて対向するように一対設けられている。これによって、前述のように、フレーム部内周縁部４ａが照射側空間から天井材１１に当接して固定されることによって、照明器具１全体が照射側空間の天井に固定されることになる。
なお、図３で示されるように接続金具５は一対（２個）設けられている構成としているが、これに限定されるものではなく、３個以上設けられる構成としてもよい。
また、接続金具５は、金属製に限定されるものではなく、所望の強度を備えるものであれば、どのような材質でもよい。
【００２０】
なお、接続金具５は、本発明の「接続部材」に相当する。
【００２１】
以上のように、反射板３が放熱部取付部３ｂにおいて放熱部２の下面に接合され、フレーム部４が、接続金具５によって放熱部２と結合されることによって、図６〜図８で示されるように、照明器具１の底面視において、反射板３の反射板フランジ部３ｃと、フレーム部４のフレーム部内周縁部４ａとがオーバーラップしている。これによって、照明器具１を下方から見た場合、天井裏空間が見えることがないため、天井裏空間からの塵埃等の落下、及び、天井裏空間から照明側空間への光漏れ等の発生を抑制することができる。
【００２２】
ＬＥＤ基板７は、アルミ基板、鉄基板、ガラスエポキシ基板又は紙フェノール基板等の基板であり、一つ又は複数のＬＥＤ６が実装されている。このＬＥＤ基板７は、その実装面が下方に向くようにして、放熱部２の下面に、当該実装面の裏面が当接するように設置される。また、ＬＥＤ基板７は、放熱性の観点から、金属基板とするのが望ましい。ただし、ＬＥＤ基板７が金属基板でない場合、銅箔の面積を大きくしたり、あるいは、両面基板としてＬＥＤ６の非実装面にも銅箔を設け、実装面側との間にサーマルビアを設けることによって、放熱性を向上させることができる。また、ＬＥＤ基板７に実装される複数のＬＥＤ６は、その実装面の中心部に集中するように実装されるのが望ましい。これは、ＬＥＤ基板７の発光部の面積が小さい方が、反射板３によるＬＥＤ６が発する光の配光制御がしやすくなるためである。
なお、ＬＥＤ基板７は、その実装面が下方に向くようにして、放熱部２の下面に、当該実装面の裏面が当接するように設置されるものとしたが、この際、放熱部２とＬＥＤ基板７との間にアクリル系、シリコン系又はエラストマー等の放熱シート、放熱グリス、又は、放熱用両面テープ等を設置することによって、放熱部２とＬＥＤ基板７との熱抵抗を低減させ、より放熱性を向上させることが可能となる。
【００２３】
また、ＬＥＤ基板７は、前述の点灯装置と電気的に接続するための接続部（図示せず）を有しており、図７及び図８で示されるように、基板押え部８によって、ＬＥＤ基板７がその実装面から放熱部２の下面方向に押え付けられ、放熱部２とＬＥＤ基板７との密着性が高められている。また、ＬＥＤ基板７の実装面は、下方から透光性カバー９によって覆われて保護されている。
【００２４】
基板押え部８は、絶縁性をもった樹脂によって形成されるのが望ましく、例えば、ＰＣ（ポリカーボネート、Ｐｏｌｙｃａｒｂｏｎａｔｅ）又はＰＢＴ（ポリブチレンテレフタレート、Ｐｏｌｙｂｕｔｙｌｅｎｅ  Ｔｅｒｅｐｈｔｈａｌａｔｅ）等で構成するとよい。また、基板押え部８は、ＬＥＤ６から発する光を反射するために白色とすることによって、反射効率を向上させることが可能である。
なお、放熱部２とＬＥＤ基板７との密着性を向上させるために、基板押え部８の他にネジ等の締結部品を用いて、ＬＥＤ基板７を放熱部２に固定するものとしてもよい。
【００２５】
透光性カバー９は、透明の樹脂又はガラスによって形成されており、前述のように、ＬＥＤ基板７の実装面を保護すると共に、ＬＥＤ６から発する光を制御する機能を有する。この光を制御する具体的な方法としては、拡散材を配合して拡散機能を備えさせたり、透光性カバー９の表面形状をレンズ形状にして集光機能を備えさせたり、あるいは、透光性カバー９の表面にシボ加工を施すことによって拡散機能を備えさせる方法がある。
【００２６】
以上のような各部品によって、照明器具１が構成されている。また、前述のように、図６〜図８で示されるように、照明器具１の底面視において、反射板３の反射板フランジ部３ｃと、フレーム部４のフレーム部内周縁部４ａとがオーバーラップしているが、この反射板フランジ部３ｃとフレーム部内周縁部４ａとの間には上下方向に間隙が設けられていることによって、反射板３とフレーム部４との間を空気が流通する通気路１２が形成されている。この通気路１２が形成されることによって、天井裏空間と照射側空間とが連通することになり、双方の空間との間で空気が流通するので、放熱部２を効率的に冷却することが可能となり、ひいては、ＬＥＤ６の温度を低減することが可能になる。また、ＬＥＤは高温になると発光効率が低下する特性があるので、上記のようにＬＥＤ６の温度を低減することによって、ＬＥＤ６の光出力を維持しつつ、消費電力を低減することができる。さらに、放熱部２を効率的に冷却することができるので、放熱部２の小型化及び軽量化が可能となる。
【００２７】
（実施の形態１の効果）
以上のように、照明器具１の底面視において、反射板３の反射板フランジ部３ｃと、フレーム部４のフレーム部内周縁部４ａとがオーバーラップしていることによって、照明器具１を下方から見た場合、天井裏空間が見えることがないため、天井裏空間からの塵埃等の落下、及び、天井裏空間から照明側空間への光漏れ等の発生を抑制することができる。
【００２８】
また、反射板３とフレーム部４との間を空気が流通する通気路１２が形成されることによって、天井裏空間と照射側空間とが連通することになり、双方の空間との間で空気が流通するので、放熱部２を効率的に冷却することが可能となり、ひいては、ＬＥＤ６の温度を低減することが可能になる。また、これによって、ＬＥＤ６の光出力を維持しつつ、消費電力を低減することができる。そして、放熱部２を効率的に冷却することができるので、放熱部２の小型化及び軽量化が可能となる。
【００２９】
実施の形態２．
本実施の形態に係る照明器具１ａについて、実施の形態１に係る照明器具１と相違する点を中心に説明する。
【００３０】
（照明器具１ａの全体構造）
図９は、本発明の実施の形態２に係る照明器具１ａの上方斜視図であり、図１０は、同照明器具１ａの下方斜視図であり、図１１は、同照明器具１ａの平面図であり、図１２は、同照明器具１ａの図１１においてＸ方向から見た側面図であり、図１３は、同照明器具１ａの図１１においてＹ方向から見た側面図であり、図１４は、同照明器具１ａの底面図であり、図１５は、同照明器具１ａの図１１におけるＡ−Ａ断面図であり、そして、図１６は、同照明器具１ａの図１１におけるＢ−Ｂ断面図である。
以下、図９〜図１６を参照しながら、本実施の形態に係る照明器具１ａの構造について説明する。
なお、以下、照明器具１ａが照射側空間（例えば、居住空間）の天井に設置された状態を基準に上下方向を定めて説明するものとする。
【００３１】
本実施の形態に係る照明器具１ａは、実施の形態１における接続金具５の機能（放熱部２とフレーム部４との結合機能）を持たせ、フレーム部４に通気孔４ｃを穿設したものである。以下、本実施の形態に係る照明器具１ａの構造について、実施の形態１に係る照明器具１と相違する点を中心に説明する。
【００３２】
フレーム部４は、図９、図１０及び図１３〜図１６で示されるように、下方に向かって末広がりとなっている筒形状（椀形状）を呈し、この椀形状は、反射板３の椀形状の部分よりも大きい略相似形状となっている。また、フレーム部４の椀形状体の上端及び下端は開口しており、その上側の開口端から内側に向けて水平に放熱部取付部４ｄが延設されており、その下側の開口端からは外側に向けてフランジ形状体が延設されている。このフランジ形状体の外周部は、内側から外側に向けて上方へ向かうスロープ形状を呈した天井面当接部４ｂとなっている。また、フレーム部４の椀形状体の放熱部取付部４ｄ寄り（上側）の部分には、複数（図１１においては６個）の通気孔４ｃが穿設されている。また、フレーム部４は、図１５及び図１６で示されるように、放熱部取付部４ｄにおいて放熱部２の下面における放熱部取付部３ｂが接合された部分よりも外側部分に接合されている。そして、図１５及び図１６で示されるように、天井面当接部４ｂが照射側空間から天井材１１に当接して固定されることによって、照明器具１ａ全体が照射側空間の天井に固定されることになる。
【００３３】
なお、図１１で示されるように、フレーム部４には通気孔４ｃが６個穿設されているが、これに限定されるものではなく、所望の放熱性能を得るために必要な個数、大きさ及び形状によって、通気孔４ｃが穿設されるものとすればよい。
【００３４】
以上のように、フレーム部４の椀形状を反射板３の椀形状の部分よりも大きい略相似形状とし、フレーム部４の放熱部取付部４ｄ寄り（上側）の部分に複数の通気孔４ｃを穿設することによって、図１４〜図１６で示されるように、照明器具１ａの底面視において、フレーム部４の通気孔４ｃ全体が反射板３とオーバーラップしている。これによって、照明器具１ａを下方から見た場合、天井裏空間が見えることがないため、天井裏空間からの塵埃等の落下、及び、天井裏空間から照明側空間への光漏れ等の発生を抑制することができる。
【００３５】
また、反射板３とフレーム部４との間には間隙が設けられ、フレーム部４には複数の通気孔４ｃが穿設されているので、反射板３とフレーム部４との間を空気が流通する通気路１２ａが形成されている。この通気路１２ａが形成されることによって、天井裏空間と照射側空間とが連通することになり、双方の空間との間で空気が流通するので、放熱部２を効率的に冷却することが可能となり、ひいては、ＬＥＤ６の温度を低減することが可能になる。また、ＬＥＤは高温になると発光効率が低下する特性があるので、上記のようにＬＥＤ６の温度を低減することによって、ＬＥＤ６の光出力を維持しつつ、消費電力を低減することができる。さらに、放熱部２を効率的に冷却することができるので、放熱部２の小型化及び軽量化が可能となる。
【００３６】
なお、本実施の形態においては、反射板３及びフレーム部４の端部を放熱部２に直接的に接合されている場合を説明したが、間接的に接合されていてもよい。例えば、反射板３を放熱部２に直接的に接合し、フレーム部４の端部を反射板３の外郭（外面）に接合するようにしてもよいし、フレーム部４の端部を放熱部２に直接的に接合し、反射板３の端部をフレーム部４の内面に接合するようにしてもよいし、反射板３の端部及び／又はフレーム部４の端部と放熱部２とを別部材を介して接合するようにしてもよい。
【００３７】
（実施の形態２の効果）
以上のように、照明器具１ａの底面視において、フレーム部４の通気孔４ｃ全体が反射板３とオーバーラップしていることによって、照明器具１ａを下方から見た場合、天井裏空間が見えることがないため、天井裏空間からの塵埃等の落下、及び、天井裏空間から照明側空間への光漏れ等の発生を抑制することができる。
【００３８】
また、反射板３とフレーム部４との間を空気が流通する通気路１２ａが形成されることによって、天井裏空間と照射側空間とが連通することになり、双方の空間との間で空気が流通するので、放熱部２を効率的に冷却することが可能となり、ひいては、ＬＥＤ６の温度を低減することが可能になる。また、これによって、ＬＥＤ６の光出力を維持しつつ、消費電力を低減することができる。そして、放熱部２を効率的に冷却することができるので、放熱部２の小型化及び軽量化が可能となる。
【００３９】
さらに、通気路１２ａを流通する空気は反射板３の椀形状に沿って流通するので、ＬＥＤ６から発生し放熱部２を介して反射板３に伝達した熱を効率よく放熱することができる。
【００４０】
なお、フレーム部４の椀形状を反射板３の椀形状の部分よりも大きい略相似形状としているが、これに限定されるものではなく、反射板３の形状よりも大きい形状であり、かつ、通気路１２ａが確保できる形状であれば、フレーム部４の形状はどのようなものでもよい。
【符号の説明】
【００４１】
１、１ａ  照明器具、２  放熱部、３  反射板、３ａ  反射面、３ｂ  放熱部取付部、３ｃ  反射板フランジ部、４  フレーム部、４ａ  フレーム部内周縁部、４ｂ  天井面当接部、４ｃ  通気孔、４ｄ  放熱部取付部、５  接続金具、５ａ  放熱部取付部、５ｂ  フレーム部取付部、６  ＬＥＤ、７  ＬＥＤ基板、８  基板押え部、９  透光性カバー、１１  天井材、１２、１２ａ  通気路。
【図１】
0005955047.tif 000002
【図２】
0005955047.tif 000003
【図３】
0005955047.tif 000004
【図４】
0005955047.tif 000005
【図５】
0005955047.tif 000006
【図６】
0005955047.tif 000007
【図７】
0005955047.tif 000008
【図８】
0005955047.tif 000009
【図９】
0005955047.tif 000010
【図１０】
0005955047.tif 000011
【図１１】
0005955047.tif 000012
【図１２】
0005955047.tif 000013
【図１３】
0005955047.tif 000014
【図１４】
0005955047.tif 000015
【図１５】
0005955047.tif 000016
【図１６】
0005955047.tif 000017